(57)【要約】【課題】樹木葬において、埋葬可能な遺骨数を極力増やすことの可能な樹木葬用納骨装置を提供する。【解決手段】遺骨収容体２が挿入される上部開口３ａを備え、墓地の地中Ｅに埋設される埋設管３と、この埋設管の上部開口を閉塞する蓋体４とを備え、前記埋設管の上部を前記蓋体とともに盛り土によって覆ってなる樹木葬用納骨装置であって、前記埋設管の下端部に、この埋設管内部に前記地中を露出させる下部開口３ｂが形成されていることを特徴とする。【選択図】図１
2017221670.tif 000002
【特許請求の範囲】
【請求項１】
遺骨収容体が挿入される上部開口を備え、墓地の地中に埋設される埋設管と、この埋設管の上部開口を閉塞する蓋体とを備え、前記埋設管の上部を前記蓋体とともに盛り土によって覆ってなる樹木葬用納骨装置であって、前記埋設管の下端部に、この埋設管内部に前記地中を露出させる下部開口が形成されていることを特徴とする樹木葬用納骨装置。
【請求項２】
前記埋設管内に、有底筒状の内挿管が着脱可能に配設され、この内挿管内に前記遺骨収容体が収納されていることを特徴とする請求項１に記載の樹木葬用納骨装置。
【請求項３】
前記遺骨収容体が、経時劣化性材料によって袋状に形成されていることを特徴とする請求項１または請求項２に記載の樹木葬用納骨装置。
【請求項４】
前記経時劣化性材料が天然繊維であることを特徴とする請求項３に記載の樹木葬用納骨装置。
【請求項５】
前記遺骨収容体は、遺骨を収容する遺骨収容部と、物品を収容する物品収容部と、を備えていることを特徴とする請求項１〜請求項４の何れかに記載の樹木葬用納骨装置。
【請求項６】
前記遺骨収容体は、前記遺骨収容部が設けられた本体と、前記物品収容部が設けられた物品収容体と、を備え、
前記本体と前記物品収容体とは、着脱可能に連結されてなることを特徴とする請求項５に記載の樹木葬用納骨装置。
【発明の詳細な説明】
【技術分野】
【０００１】
本発明は、遺骨を地中に埋め、その上部を盛り土で覆うとともに、この盛り土に植樹や植生を施して埋葬するようにした樹木葬に用いられる納骨装置に関するものである。
【背景技術】
【０００２】
近年、遺骨の埋葬に際し、核家族化に伴う継承の問題、あるいは、墓地や墓石の費用高騰等の理由により、永代供養が行なえ、かつ、費用的に安価な樹木葬が注目されている。
また、死後は自然とともにありたいとの希望から樹木葬を選ぶことも多く見られる。
【０００３】
このような樹木葬にかかる納骨装置として、たとえば、特許文献１に示される構造のものが提案されている。
【０００４】
この技術は、遺骨収容体が収納される上部開口を備えた埋設管を地中に略鉛直方向に沿って埋設しておき、この埋設管内に前記遺骨収容体を収容した後に、前記上部開口を蓋体で塞いだ後に、この蓋体を覆って盛り土を行ない、さらに、この盛り土に植樹や植生を施すようにしたものである。
【０００５】
そして、前記埋設管は、有底筒状に形成されて、前記遺骨収容体の複数、たとえば、２ないし３個の遺骨収容体が収納可能となっている。
【先行技術文献】
【特許文献】
【０００６】
【特許文献１】実用新案登録第３２０３６５２号公報
【発明の概要】
【発明が解決しようとする課題】
【０００７】
ところで、前述した従来の樹木葬用納骨装置にあっては、埋設される前記埋設管の長さに制限があり、これに伴い、この埋設管に収納できる前記遺骨収容体の数（埋葬される遺骨数）も限られる。
【０００８】
一般的に設定されている前記遺骨収容体の収納数は、２ないし３個である。
しかしながら、たとえば、ペットなどと一緒に埋葬されることを望む場合も増えており、このような要望への対応が望まれている。
【０００９】
本発明は、前述した従来の技術において残されている問題点に鑑みてなされたもので、樹木葬において、埋葬可能な遺骨数を極力増やすことの可能な樹木葬用納骨装置を提供することを解決すべき課題とする。
【課題を解決するための手段】
【００１０】
本発明の樹木葬用納骨装置は、前述した課題を解決するために、遺骨収容体が挿入される上部開口を備え、墓地の地中に埋設される埋設管と、この埋設管の上部開口を閉塞する蓋体とを備え、前記埋設管の上部を前記蓋体とともに盛り土によって覆ってなる樹木葬用納骨装置であって、前記埋設管の下端部に、この埋設管内部に前記地中を露出させる下部開口が形成されていることを特徴としている。
【００１１】
このような構成とすることにより、埋葬のため、遺骨が収容された遺骨収容体を前記埋設管に収納するには、前記埋設管の上部に位置する盛り土を掘り起こし、前記埋設管の上部を閉塞する蓋体を取り外すことによって前記埋設管の上部開口を開放する。
【００１２】
この状態で、前記上部開口から遺骨収容体を前記埋設管の内部に収納することができる。
このように前記埋設管内に前記遺骨収容体を収納した後に、再度、前記埋設管の上部に蓋体を装着して前記上部開口を閉塞し、ついで、この蓋体を含め、前記埋設管の上部を盛り土で覆うことにより、遺骨を埋葬することができる。
この手順を繰り返すことによって許容数の遺骨収容体を収納することができる。
【００１３】
一方、許容数を超えて遺骨収容体を収納する際には、まず、前記盛り土を除去して前記埋設管の上部を露出させ、ついで、前記蓋体を取り外して前記埋設管の上部開口を開放する。
【００１４】
ついで、収納されている前記遺骨収容体を前記埋設管から取り出し、たとえば、古い遺骨収容体に収容されている遺骨を、この遺骨収容体から取り出して前記埋設管内に収める。
【００１５】
そして、前記埋設管内に直接収められた遺骨が収容されていた遺骨収容体を破棄し、他の取り出された遺骨収容体を前記埋設管内に戻すことにより、この遺骨収容体の上部に、新たな遺骨収容体の収納空間を形成することができる。
【００１６】
前述したように、前記埋設管内に直接収められた遺骨は、前記埋設管の下部に設けられている下部開口を経て地中に入り込み、大地と一体化される。
【００１７】
このような作業を、所定の供養期間が過ぎた遺骨、たとえば、３３回忌の供養を終えた遺骨に対して行なうことにより、前述した新たな収納空間を予め形成しておくことも可能である。
【００１８】
本発明では、前記埋設管内に、有底筒状の内挿管を着脱可能に配設し、この内挿管内に前記遺骨収容体を収納しておくことも可能である。
【００１９】
このような構成とすることにより、前記埋設管への前記遺骨収容体の収納や取り出しを容易に行なうようにすることができる。
【００２０】
あるいは、前記埋設管に収納されている前記遺骨収容体を、合祀等のために他の場所に移し替える場合等に、その作業を簡便なものとすることができる。
【００２１】
また、前記遺骨収容体を、経時劣化性材料によって袋状に形成しておくこともできる。
このような材料によって形成しておくと、前記遺骨収容体が前記埋設管の下部開口を経て地中の土と接触し、この遺骨収容体が、前記土中の水分や微生物等との反応により徐々に腐食や溶解し破損する。
【００２２】
この結果、埋葬からある時間経過後に、前記遺骨収容体の形状が自然に崩れて、収容されている遺骨が前記土上へ放出されるとともに、上方に位置する前記遺骨収容体が下降する。
したがって、残った前記遺骨収容体の上方に、新たな遺骨の収納空間が自然に形成される。
【００２３】
前記経時劣化性材料としては、たとえば、紙袋や段ボール箱、あるいは、天然繊維を用いた布袋等の天然素材を用いることが好ましい。
【００２４】
前記遺骨収容体は、遺骨を収容する遺骨収容部と、物品を収容する物品収容部と、を備える構成とすることもできる。
【００２５】
このような構成とすることにより、例えば、孫への手紙や形見等の物品を、遺骨と共に、かつ遺骨と別空間に埋設しておくことができる。
【００２６】
さらに、前記遺骨収容体は、前記遺骨収容部が設けられた本体と、前記物品収容部が設けられた物品収容体と、を備え、前記本体と前記物品収容体とは、着脱可能に装着されてなる構成とすることもできる。
【００２７】
このような構成とすることにより、遺骨のみ又は孫への手紙や形見等の物品のみを取り出す作業が容易となる。
【発明の効果】
【００２８】
本発明の樹木葬用納骨装置によれば、限られた大きさの埋設管内に、新たな遺骨収容体の収容空間を形成することができる。
【図面の簡単な説明】
【００２９】
【図１】本発明の第１の実施形態を示すもので、一部断面斜視図である。
【図２】本発明の第１の実施形態を示す縦断面図である。
【図３】本発明の第１の実施形態を示すもので、作用を説明するための縦断面図である。
【図４】本発明の第２の実施形態を示す縦断面図である。
【図５】本発明の第３の実施形態を示す縦断面図である。
【図６】本発明の第３の実施形態を示すもので、作用を説明するための縦断面図である。
【図７】本発明の第３の実施形態を示すもので、作用を説明するための縦断面図である。
【図８】本発明の遺骨収容体の第１の変形例を示す分解斜視図である。
【図９】本発明の遺骨収容体の第１の変形例を示す外観斜視図である。
【図１０】本発明の遺骨収容体の第２の変形例を示す外観斜視図である。
【図１１】本発明の遺骨収容体の第３の変形例を示す縦断面図である。
【図１２】本発明の遺骨収容体の第３の変形例を示す分解縦断面図である。
【図１３】本発明の遺骨収容体の第３の変形例を示す外観斜視図である。
【発明を実施するための形態】
【００３０】
以下、本発明の第１の実施形態について図１ないし図３を参照して説明する。
これらの図において、符号１は、本実施形態に係わる樹木葬用納骨装置（以下、納骨装置と略称する）を示す。
【００３１】
この納骨装置１は、遺骨収容体２が挿入される上部開口３ａを備え、墓地の地中Ｅに埋設される埋設管３と、この埋設管３の上部開口３ａを閉塞する蓋体４とを備え、前記埋設管３の上部を前記蓋体４とともに盛り土によって覆ってなる納骨装置であって、前記埋設管３の下端部に、この埋設管３内部に前記地中を露出させる下部開口３ｂが形成されている。
【００３２】
前記遺骨収容体２は、たとえば、陶器等によって形成されており、上方が開口された有底筒状の本体２ａと、この本体２ａに装着されてその開口を開閉する蓋体２ｂとによって構成されている。
【００３３】
また、前記遺骨収容体２は、前記埋設管３の内径よりも小さい外径に形成されているとともに、本実施形態においては、前記埋設管３の長さの１／３以下の高さに形成されている。
【００３４】
前記埋設管３は、金属若しくは合成樹脂によって円筒状に形成されており、前記地中Ｅに、略鉛直方向に沿って埋設されている。
【００３５】
また、前記埋設管３は、その上部開口３ａが地表より所定深さ下方に位置するように埋設され、埋設された状態において、その内部空間に、前記下部開口３ｂを介して前記地中Ｅの土が露出させられている。
【００３６】
ついで、このように構成された本実施形態に係わる納骨装置１の構築方法について説明する。
まず、墓地の所定位置に前記埋設管３の長さよりも若干深い穴Ｈを掘削する。
ついで、掘削された前記穴Ｈ内に、前記埋設管３を落とし込んで、図1に示すように配置し、その回りの土を押し固めて前記埋設管３を固定する。
【００３７】
このようにして地中Ｅ内に配置した埋設管３は、その上部開口３ａが、地表よりも下がった位置に位置させられている。
【００３８】
これより、前記埋設管３内に、その上部開口３ａを経て、複数（図示例では３個）の前記遺骨収容体２を重ねるようにして収納する。
【００３９】
ついで、前記埋設管３の上部開口３ａに前記蓋体４を装着して、前記上部開口３ａを閉じ、その後に、前記埋設管３および前記蓋体４の上部を覆うように土を被せる（図２参照）。
【００４０】
以上の作業によって本実施形態の納骨装置１が構築されるが、このように構築された納骨装置１を覆う盛り土に、樹木の植樹が行なわれ、あるいは、植生が施されることにより、樹木葬の墓地が形成される。
【００４１】
そして、追加の遺骨収容体２を埋葬する必要が生じた場合には、前記蓋体４の上方に盛られた土を除去してこの蓋体４を露出させた後に、この蓋体４を取り外して前記埋設管３の上部開口３ａを開放する。
【００４２】
これより、前記埋設管３に収納されている各遺骨収容体２を引き上げて取り出す。
そして、たとえば、供養期間を過ぎた、たとえば、３３回忌を終えた遺骨を前記遺骨収容体２から取り出して、空洞状態にある前記埋設管３内に直接落とし込む。
【００４３】
落とし込まれた遺骨Ｓは、図３に示すように、前記埋設管３の下端において、その下部開口３ｂにおいて露出する土の上に置かれる。
【００４４】
ついで、前記埋設管３内に、以前に収納されていた残りの遺骨収容体２を挿入した後に、前記埋設管３の上部開口３ａを覆って前記蓋体４を被せ、さらに、この蓋体４の上部を埋め戻すことにより、図３に示すように、前記蓋体４が前記埋設管３とともに地中Ｅに埋設される。
【００４５】
ここで、一つの遺骨収容体２が取り除かれたことにより、前記埋設管３内の上部に、前記遺骨収容体２の１個分の収納空間が形成されて、他の遺骨収容体２の追加収納を可能にする。
【００４６】
一方、前記埋設管３内に直接落とし込まれた遺骨Ｓは、この埋設管３の下部開口３ｂにおいて土の上に置かれるが、時間の経過とともに風化し、前記土と一体化されて大地へ還される。
【００４７】
図４に示す第２の実施形態のように、経時劣化性材料によって袋状に形成した遺骨収容体１０とすることもできる。
【００４８】
このような材料によって前記遺骨収容体１０を形成しておくと、前記遺骨収容体１０が前記埋設管３の下部開口３ｂを経て地中の土と接触し、この遺骨収容体１０が、前記土中の水分や微生物等との反応により徐々に腐食や溶解により破損する。
【００４９】
この結果、埋葬からある時間経過後に、前記遺骨収容体１０が自然に崩れることにより、その内部に収容されている遺骨が前記土中へ放出されるとともに、上方の遺骨収容体１０が下方へ移動する。
これによって、新たな遺骨の収納空間が自然に形成される。
【００５０】
前記経時劣化性材料としては、たとえば、紙袋や段ボール箱、あるいは、天然繊維を用いた布袋等の天然素材を用いることが好ましい。
【００５１】
図５は、本発明の第３の実施形態を示すもので、前記埋設管３内に、有底筒状の内挿管５を着脱可能に配設し、この内挿管５内に前記遺骨収容体２を収納するようにしたものである。
【００５２】
このような構成とすることにより、前記遺骨収容体２を前記内挿管５と一体的に取り扱うことが可能となり、前記埋設管３への前記遺骨収容体２の収納や取り出し操作を容易に行なうようにすることができる。
【００５３】
あるいは、前記埋設管３に収納されている前記遺骨収容体２を、合祀等のために他の場所に移し替える場合等に、その作業を簡便なものとすることができる。
【００５４】
また、本実施形態のように内挿管５を用いる場合、図５に示すように、この内挿管５の上部周壁に、たとえば、一対の貫通孔５ａを同軸状に穿設しておくとともに、図６に示すような、これらの貫通孔５ａに係合させられる一対の係合片６ａを備えた吊り上げ具６を用意しておく。
【００５５】
この吊り上げ具６は、バネ鋼等を略Ｕ字状に折曲し、かつ、両端部を外方へ向けて所定長さ折曲して前記係合片６ａを形成したものである。
【００５６】
そして、前記吊り上げ具６は、前記両係合片６ａを近付けるようにして弾性変形させた状態で、これらの係合片６ａを前記内挿管５の上方内部へ挿入した後に、前記両係合片６ａを離間させるように弾性変形させて、これらの両係合片６ａを前記内挿管５の各貫通孔５ａにそれぞれ嵌合させて使用する。
【００５７】
この状態において、図７に示すように、前記吊り上げ具６が前記内挿管５と一体化され、前記吊り上げ具６により前記内挿管５の出し入れを行なうことができる。
また、前記内挿管５の取り扱いを終えた後は、前記吊り上げ具６を前記内挿管５から切り離して保管する。
【００５８】
なお、前記各実施形態において示した各構成部材の諸形状や寸法等は一例であって、設置される墓地の条件等に基づき種々変更可能である。
【００５９】
たとえば、前記実施形態においては、前記遺骨収容体２として蓋体を備えた筒体を例示したが、これに替えて、図８および図９に示す構成とすることも可能である。
【００６０】
これらの図に符号１１で示す遺骨収容体は、有底筒状の本体１１ａと、この本体１１ａの上部開口に着脱可能に装着される蓋体１１ｂと、前記遺骨収容体１１の出し入れの際に把持される把手１２ａを備えた把持部材１２とによって構成されている。
【００６１】
そして、前記把持部材１２は、図９に示すように、前記蓋体１１ｂに、前記把手１２ａを上方にして被嵌されて一体化され、前記把手１２ａを、人手によりあるいは治具を用いて把持することにより、前記遺骨収容体１１の出し入れや移動に用いられる。
【００６２】
さらに、図１０に示す遺骨収容体１３のように、本体１３ａに着脱可能に装着される蓋体１３ｂの上面に、その一部を残して凹部１３ｃを形成することにより、この凹部１３ｃを横切る把手１３ｄを、前記蓋体１３ｂと一体に形成しておくことも可能である。
【００６３】
さらに、図１１に示す遺骨収容体１４のように、遺骨を収容する遺骨収容部Ａ１と、物品を収容する物品収容部Ａ２と、を有する構成としても良い。
本変形例では、遺骨収容部Ａ１と、物品収容部Ａ２と、がそれぞれ別体で構成されている例を示すが、例えば、遺骨収容部Ａ１の内部に物品収容部Ａ２が含まれ、一体となっている構成としても良い。
【００６４】
遺骨収容体１４は、遺骨収容部Ａ１を有する本体１４ａと、この本体１４ａの上部開口に着脱可能に装着される蓋体１４ｂと、物品収容部Ａ２を有し、かつ蓋体１４ｂに着脱可能に装着される物品収容体１４ｃと、この物品収容体１４ｃの上部開口に着脱可能に装着される蓋体１４ｄと、により構成されている。
【００６５】
また、図１２に示すように、蓋体１４ｂと篏合可能な円環状のリブ１４ｅが、物品収容体１４ｃの底部に、物品収容体１４ｃ及び蓋体１４ｄと同軸上に一体形成されている。リブ１４ｅの内径は、本体１４ａ及び蓋体１４ｂの外径と略同一径である。リブ１４ｅを蓋体１４ｂに篏合させることにより、物品収容体１４ｃは、蓋体１４ｂに着脱可能に連結され、本体１４ａ及び蓋体１４ｂと略同軸上に位置決めされる。
【００６６】
本変形例では、遺骨収容部Ａ１と物品収容部Ａ２の高さの比率はおよそ４：１であるが、これに限定されず、例えば１：１や２：１としても良い。また、円環状のリブ１４ｅを、本体１４ａの底部に一体形成することで、遺骨収容部Ａ１が上、物品収容部Ａ２が下に配置されるような構成としても良い。
【００６７】
遺骨収容体１４は、全体を陶器又はプラスチックといった素材で形成することができる。また、各構成部材を別々の素材により形成しても良い。例えば、本体１４ａと蓋体１４ｂを陶器、物品収容体１４ｃと蓋体１４ｄをプラスチックで形成しても良い。または、本体１４ａと蓋体１４ｂをプラスチック、物品収容体１４ｃと蓋体１４ｄを陶器で形成しても良い。
【００６８】
蓋体１４ｂと物品収容体１４ｃは、必ずしもリブ１４ｅを介して、連結する必要はなく、例えば、蓋体１４ｂと物品収容体１４ｃとを接着剤で結合する、または予め蓋体１４ｂと物品収容体１４ｃとを一体形成しておくことにより、物品収容体１４ｃが蓋部１４ｂを兼ねるような構成としても良い。若しくは、蓋体１４ｂと物品収容体１４ｃを篏合させた後、物品収容体１４ｃを４５度程度の所定角度分回転させ、ねじ込むようにして連結固定するような構成としても良い。
【００６９】
本変形例によれば、例えば、孫への手紙や形見等を、遺骨と共に、かつ遺骨と別空間に埋設しておくことができる。
【００７０】
また、遺骨のみ又は孫への手紙や形見等の物品のみを取り出す作業が容易となる。
【符号の説明】
【００７１】
１  （樹木葬用）納骨装置
２  遺骨収容体
３  埋設管
３ａ  上部開口
３ｂ  下部開口
４  蓋体
５    内挿管
５ａ  貫通孔
６  吊り上げ具
６ａ  係合片
１０  遺骨収容体
１１  遺骨収容体
１１ａ  本体
１１ｂ  蓋体
１２  把持部材
１２ａ  把手
１３  遺骨収容体
１３ａ  本体
１３ｂ  蓋体
１３ｃ  凹部
１３ｄ  把手
１４  遺骨収容体
１４ａ  本体
１４ｂ  蓋体
１４ｃ  物品収容体
１４ｄ  蓋体
１４ｅ  リブ
Ｅ  地中
Ｈ  穴
Ｓ  遺骨
Ａ１  遺骨収容部
Ａ２  物品収容部
【図１】
2017221670.tif 000003
【図２】
2017221670.tif 000004
【図３】
2017221670.tif 000005
【図４】
2017221670.tif 000006
【図５】
2017221670.tif 000007
【図６】
2017221670.tif 000008
【図７】
2017221670.tif 000009
【図８】
2017221670.tif 000010
【図９】
2017221670.tif 000011
【図１０】
2017221670.tif 000012
【図１１】
2017221670.tif 000013
【図１２】
2017221670.tif 000014
【図１３】
2017221670.tif 000015